(57)【要約】【課題】緊締操作を極めて容易に行うことができる靴を提供すること。【解決手段】前側開口部４に沿設する靴本体１の上側左右部と下側左右部とに夫々ベルト通し部Ａ，Ｂ，Ｃ，Ｄを設けると共に、この各ベルト通し部Ａ，Ｂ，Ｃ，Ｄは、前記タン部材５の前側に位置するように構成し、この上側一方のベルト通し部Ａに緊締ベルト７の一端を固定し、この緊締ベルト７の他端を前記タン部材５の前側に配し斜め下方に位置する下側他方のベルト通し部Ｂに通してから、水平に折り返して下側一方のベルト通し部Ｃに通し、続いて斜め上方へ折り返して上側他方のベルト通し部Ｄに通し、この緊締ベルト７の他端を着脱自在に結合する結合具８をこの緊締ベルト７の一端に設ける。【選択図】図１
2009089902.tif 000002
【特許請求の範囲】
【請求項１】
履き口部の前側から甲部分にかけて開口する前側開口部を有する靴本体の、この前側開口部にタン部材を配設すると共に、この前側開口部に緊締手段を設けた靴において、前記緊締手段は、前記前側開口部に沿設する前記靴本体の上側左右部と下側左右部とに夫々ベルト通し部を設けると共に、この各ベルト通し部は、前記タン部材の前側に位置するように構成し、この上側一方のベルト通し部に緊締ベルトの一端を固定するか若しくは着脱自在な固定具を用いて固定し、この緊締ベルトの他端を前記タン部材の前側に配し斜め下方に位置する下側他方のベルト通し部に通してから、水平に折り返して下側一方のベルト通し部に通し、続いて斜め上方へ折り返して、前記タン部材の前側で上側一方のベルト通し部と下側他方のベルト通し部の間に配した緊締ベルトの途中部とクロスさせてから上側他方のベルト通し部に通して、この緊締ベルトの他端を引動することで前記タン部材と共に前記靴本体を緊締し得るように設け、この引動した緊締ベルトの他端を着脱自在に結合する結合具をこの緊締ベルトの一端に設けた構成としたことを特徴とする靴。
【請求項２】
前記靴本体は、足首より上方をホールドする上部ホールド部を具備した構成とし、この上部ホールド部に存する前記前側開口部の上側開口部分に前記緊締手段を設けたことを特徴とする請求項１記載の靴。
【請求項３】
前記靴本体は、足首より上方をホールドする上部ホールド部を具備した構成とし、この上部ホールド部に存する前記前側開口部の上側開口部分と、靴本体の前記甲部分に存する前側開口部の下側開口部分とのいずれか一方若しくは双方に前記緊締手段を設けたことを特徴とする請求項１，２のいずれか１項に記載の靴。
【請求項４】
前記各ベルト通し部を、前記靴本体の前側開口部の開口周縁部より内側に向けて突設してこの各ベルト通し部が前記タン部材の前側に位置するように構成したことを特徴とする請求項１〜３のいずれか１項に記載の靴。
【請求項５】
少なくとも前記緊締ベルトの他端を通した前記上側他方のベルト通し部は、前記靴本体に対し上下方向に移動可能に設けたことを特徴とする請求項１〜４のいずれか１項に記載の靴。
【発明の詳細な説明】
【技術分野】
【０００１】
本発明は、緊締操作が容易で良好なフィット感が得られる靴に関するものである。
【背景技術】
【０００２】
靴の緊締構造としては、甲部分から履き口にかけてに靴紐を通して締め上げる構造が知られており、例えばスノーボード用のブーツのように、足首部より高さのある上方ホールド部を有する形状の靴にも、この靴紐による緊締構造は多く採用されている。
【０００３】
ところが、この靴紐による緊締構造は、つま先側から順番に締め上げていくが、スノーボード用ブーツのように上方ホールド部がすね途中にまで達する靴においては、つま先からすね途中の上方部分まで締め上げていくことは強い力が必要であると共に手間も時間もかかり、更には上方部分を締め上げるころにはつま先側が緩んできてしまったりしてしっかりと緊締することが難しかった。
【０００４】
そこで、この厄介な緊締を容易に且つ迅速に行うことができるようにと、従来から様々な工夫がなされたスノーボード用ブーツが提案されている。
【０００５】
例えば、ブーツの足甲部分と、足すね部分とに夫々独立した靴紐が設けられていて足甲部と足すね部の緊締具合を緩まないように別々に調整できると共に、夫々の靴紐に紐止め手段が設けられていてこの紐止め手段により靴紐を簡単に緩まないようにできる緊締構造を有するスノーボード用ブーツ（特許文献１参照。）が提案されており、このブーツによれば、足甲部と足すね部とを別々に緊締するので緩みが生じにくく、且つ力の弱い人でも締付操作を行うことができる。
【０００６】
また、靴紐をダイヤル式の器具で巻き上げることで簡単に締め上げできる緊締構造を有するスノーボード用ブーツも提案されており、このブーツによれば、緊締に力がいらない上、巻き上げられた靴紐がダイヤルに巻かれて結び目が表出しないので体裁良好であると共に、靴紐の結び目がバインディングのストラップベルトに干渉しないというメリットもある。
【０００７】
【特許文献１】実用新案登録第３１１５７７３号公報
【発明の開示】
【発明が解決しようとする課題】
【０００８】
しかし、前記前者のブーツは、確かに甲部分から履き口にかけてに靴紐が通された構成に比べれば、緊締に要する時間短縮は図れるものの、靴紐の締め上げ操作自体がさほど操作性の良い緊締手段ではないため、満足の行く操作性が得られているとはいえなかった。
【０００９】
また、前記後者のブーツには、緊締できる範囲が足首から上方の上部サポート部が中心で、つま先から足首にかけては良好なフィット感が出づらい上、ダイヤル式巻き取り器具の故障が多く、一度故障すると簡単には修繕できないので、現地（スキー場）でユーザーが困惑する場面も少なくないという問題があった。
【００１０】
本発明は、このような従来のスノーボード用ブーツの現状に鑑み、これらよりももっと簡単且つ迅速に緊締操作を行えるようにできないかと試行錯誤して製品開発を進めた末に完成したものである。
【００１１】
即ち、本発明は、誰でも簡単且つ迅速に緊締操作を行うことができる極めて実用性に秀れた画期的な靴を提供するものである。
【課題を解決するための手段】
【００１２】
添付図面を参照して本発明の要旨を説明する。
【００１３】
履き口部２の前側から甲部分３にかけて開口する前側開口部４を有する靴本体１の、この前側開口部４にタン部材５を配設すると共に、この前側開口部４に緊締手段６を設けた靴において、前記緊締手段６は、前記前側開口部４に沿設する前記靴本体１の上側左右部と下側左右部とに夫々ベルト通し部Ａ，Ｂ，Ｃ，Ｄを設けると共に、この各ベルト通し部Ａ，Ｂ，Ｃ，Ｄは、前記タン部材５の前側に位置するように構成し、この上側一方のベルト通し部Ａに緊締ベルト７の一端を固定するか若しくは着脱自在な固定具を用いて固定し、この緊締ベルト７の他端を前記タン部材５の前側に配し斜め下方に位置する下側他方のベルト通し部Ｂに通してから、水平に折り返して下側一方のベルト通し部Ｃに通し、続いて斜め上方へ折り返して、前記タン部材５の前側で上側一方のベルト通し部Ａと下側他方のベルト通し部Ｂの間に配した緊締ベルト７の途中部とクロスさせてから上側他方のベルト通し部Ｄに通して、この緊締ベルト７の他端を引動することで前記タン部材５と共に前記靴本体１を緊締し得るように設け、この引動した緊締ベルト７の他端を着脱自在に結合する結合具８をこの緊締ベルト７の一端に設けた構成としたことを特徴とする靴に係るものである。
【００１４】
また、前記靴本体１は、足首より上方をホールドする上部ホールド部９を具備した構成とし、この上部ホールド部９に存する前記前側開口部４の上側開口部分４Ａに前記緊締手段６を設けたことを特徴とする請求項１記載の靴に係るものである。
【００１５】
また、前記靴本体１は、足首より上方をホールドする上部ホールド部９を具備した構成とし、この上部ホールド部９に存する前記前側開口部４の上側開口部分４Ａと、靴本体１の前記甲部分３に存する前側開口部４の下側開口部分４Ｂとのいずれか一方若しくは双方に前記緊締手段６を設けたことを特徴とする請求項１，２のいずれか１項に記載の靴に係るものである。
【００１６】
また、前記各ベルト通し部Ａ，Ｂ，Ｃ，Ｄを、前記靴本体１の前側開口部４の開口周縁部より内側に向けて突設してこの各ベルト通し部Ａ，Ｂ，Ｃ，Ｄが前記タン部材５の前側に位置するように構成したことを特徴とする請求項１〜３のいずれか１項に記載の靴に係るものである。
【００１７】
また、少なくとも前記緊締ベルト７の他端を通した前記上側他方のベルト通し部Ｄは、前記靴本体１に対し上下方向に移動可能に設けたことを特徴とする請求項１〜４のいずれか１項に記載の靴に係るものである。
【発明の効果】
【００１８】
本発明は上述のように構成したから、緊締ベルト他端を引動した際の緊締ベルトとベルト通し部との摩擦抵抗が比較的少ないために、この緊締ベルトの引動操作を簡単に且つ迅速に行って靴本体を足にフィットさせることができ、また、引動して緊締した緊締ベルトの他端を緊締ベルトの一端に設けた結合具に結合してロックすると、緊締ベルトが靴本体の前側開口部に略８の字形に配されてこの緊締ベルトの存する範囲をタン部材と共に良好に緊締することになるので、単に一本の緊締ベルトによって緊締する構造でありながら足への良好なフィット感が得られることになり、しかも、緊締ベルトの一端を上側一方のベルト通し部に固定しているため、この緊締ベルトの一端に設けた結合具の位置が結合操作に不都合な位置に移動してしまうようなことがなく、確実に前側開口部付近で緊締ベルトの結合操作を行うことができて操作性が良好であるなど、極めて実用性に秀れた画期的な靴となる。
【００１９】
また、請求項２記載の発明においては、靴本体の上部ホールド部を容易に且つ迅速に緊締することができるので、例えば、上部ホールド部を有して靴本体の広範囲を緊締する必要のあるスノーボード用ブーツに本発明を適用すれば、少なくとも上部ホールド部を容易に且つ迅速に緊締することができる上に、上部ホールド部に緊締手段を設けたことで、甲部分には別の緊締手段を設けることができ、これにより甲部分と上部ホールド部とを別個に緊締して良好なフィット感を得ることができる商品価値の高いスノーボード用ブーツが実現することになる。
【００２０】
また、請求項３記載の発明においては、靴本体の甲部分と上部ホールド部とのいずれか一方若しくは双方を、容易に且つ迅速に緊締することができる極めて実用性に秀れた構成の靴が実現することとなる。
【００２１】
また、請求項４記載の発明においては、緊締ベルトが靴本体の前側開口部の周縁部などに接触しない構成であるため緊締ベルトの引動抵抗が一層小さくなり、よってこの緊締ベルトの引動操作（緊締操作）を一層簡単に且つ迅速に行うことができる極めて実用性に秀れた構成の靴となる。
【００２２】
また、請求項５記載の発明においては、緊締ベルトの他端を引動する際に、少なくとも上側他方のベルト通し部が、引っ張った緊締ベルトの動きに追従して靴本体に対し上下方向に移動するために、たとえ幅のある緊締ベルトであったとしても緊締ベルト他端がねじれたりすることなく、この引動操作を容易に行うことができる極めて操作性に秀れた構成の靴となる。
【発明を実施するための最良の形態】
【００２３】
好適と考える本発明の実施形態（発明をどのように実施するか）を、図面に基づいて本発明の作用を示して簡単に説明する。
【００２４】
履き口部２から靴本体１内に足を挿入し、靴本体１の上側他方のベルト通し部Ｄに通した緊締ベルト７の他端を引動すると、この緊締ベルト７は、その一端が靴本体１の前側開口部４に沿設する上側一方のベルト通し部Ａに固定されていて、他端が下部他方のベルト通し部Ｂ，下部一方のベルト通し部Ｃ，上部他方のベルト通し部Ｄの順に通されているため、この緊締ベルト７が存する靴本体１の前側開口部４の所定範囲がタン部材５と共に緊締されて靴本体１が足にフィットすることになる。
【００２５】
また、下部他方のベルト通し部Ｂ，下部一方のベルト通し部Ｃ，上部他方のベルト通し部Ｄのわずか三箇所に通された緊締ベルト７は、この緊締ベルト７他端を引動操作した際のベルト通し部Ｂ，Ｃ，Ｄとの摩擦抵抗（引動抵抗）が比較的小さいため、この引動操作に大きな抵抗を生じず、よって簡単に且つ迅速に引動操作を行うことができて靴本体１を簡単に且つ迅速に足にフィットさせることができる。
【００２６】
そして、緊締終了後に緊締ベルト７の他端を緊締ベルト７の一端に設けた結合具８に結合すると、この緊締状態がロックされて靴本体１の前側開口部４に緊締ベルト７が略８の字形に配されることになり、この略８の字形の緊締ベルト７が靴本体１の前側開口部４の所定範囲をタン部材５と共に緊締して足への良好なフィット感が得られた状態が維持されることになる。
【００２７】
また、この際、緊締ベルト７の一端を上側一方のベルト通し部Ａに固定していることで、この緊締ベルト７の一端に設けた結合具８の位置が緊締ベルト７他端の結合に不都合な位置に移動してしまうようなことがなく、確実に前側開口部４付近で緊締ベルト７の結合操作を行うことができるので、操作性に秀れる。
【００２８】
従って、このように緊締ベルト７他端の引動操作（緊締操作）が容易に行われて迅速に緊締ロックすることができるし、略８の字形に通される緊締ベルト７によって前側開口部４に沿設する靴本体１の上下範囲をタン部材５と共に極めて良好に緊締することができる緊締手段６を備えた極めて実用性に秀れた靴となる。
【００２９】
また、緊締ベルト７の一端を着脱自在な固定具を用いて上側一方のベルト通し部Ａに固定する構成を採用した場合には、固定具を上側一方のベルト通し部Ａから取り外すことで、緊締ベルト７をよりデザイン性の高いものに交換したり、損傷した緊締ベルト７を新品と交換することも可能となる。
【００３０】
また、例えば、前記靴本体１は、足首より上方をホールドする上部ホールド部９を具備した構成とし、この上部ホールド部９に存する前記前側開口部４の上側開口部分４Ａに前記緊締手段６を設ければ、上部ホールド部９を具備して緊締範囲が広範囲な靴のこの上部ホールド部９を容易に且つ迅速に緊締することができる。
【００３１】
従って、例えば、上部ホールド部９を有するスノーボード用ブーツに本発明を適用すれば、スノーボード用ブーツは、足が中で浮いたりしないように靴本体１の甲部分３から上部ホールド部９に至るまでの広範囲をしっかりと緊締する必要があるが、少なくとも上部ホールド部９をこれまでになく簡単に且つ迅速に緊締することができるので、装着作業が簡易化してスピーディーに行われることになり、しかも、上部ホールド部９に緊締手段６を設けたことで、甲部分３には別の緊締手段を設けることができ、これにより甲部分３と上部ホールド部９とを別個に緊締できて緩みを生じにくく良好なフィット感を得ることができる商品価値の高いスノーボード用ブーツが実現することになる。
【００３２】
また、例えば、上部ホールド部９を具備する靴において、靴本体１の甲部分３にも、前記緊締手段６を設ければ、この甲部分３も簡単に且つ迅速に緊締することができ、一層実用的となる。
【００３３】
また、例えば、スノーボード用ブーツに適用して、甲部分３と上部ホールド部９との双方に夫々前記緊締手段６を設ければ、甲部分３も上部ホールド部９も極めて簡単に且つ迅速に緊締することができる極めて商品価値の高いスノーボード用ブーツが実現することになる。
【００３４】
本発明の靴を脱ぐ時は、結合具８から緊締ベルト７の他端の結合を解除することで、緊締ベルト７を容易に緩めることができる。
【実施例】
【００３５】
本発明の具体的な実施例について図面に基づいて説明する。
【００３６】
本実施例は、スノーボード用のブーツに適用した場合を示している。
【００３７】
このスノーボード用ブーツの靴本体１について簡単に説明すると、図１，図２，図４に示すように、足首より高さがあってすね部途中までを覆う上部ホールド部９を備え、履き口部２の前側から甲部分３にかけて開口する前側開口部４を備え、この前側開口部４にタン部材５を備え、この前側開口部４に緊締手段を備えている。また、靴本体１（アウターブーツ）内に、すね途中までをホールドする高さのあるインナーブーツ10を着脱自在に設けている。
【００３８】
本実施例では、前記靴本体１の甲部分３に存する前側開口部４の下側開口部分４Ｂに第一緊締手段16を設けると共に、前記靴本体１の前記上部ホールド部９に存する前側開口部４の上側開口部分４Ａに本発明の緊締手段６たる第二緊締手段６を設けている。即ち、本実施例では、甲部分３と上部ホールド部９とを一つの緊締手段で緊締する構成ではなく、甲部分３と上部ホールド部９とに別々の緊締手段を設けた構成としている。
【００３９】
具体的には、本実施例の第一緊締手段16は、甲部分３の下側開口部分４Ｂの開口縁部の数箇所に紐通し部12を形成し、この各紐通し部12に靴紐11を通してこの靴紐11で甲部分３を緊締する構成としている。
【００４０】
また、本実施例の第二緊締手段６は、前記前側開口部４の上側開口部分４Ａに沿設する前記上部ホールド部９の上側左右部と下側左右部とに夫々ベルト通し部Ａ，Ｂ，Ｃ，Ｄを設けると共に、この各ベルト通し部Ａ，Ｂ，Ｃ，Ｄは、前記タン部材５の前側に位置するように構成している。
【００４１】
更に詳しくは、上部ホールド部９の上側開口部分４Ａの開口縁より外側の上側左右部と下側左右部との計四箇所から、帯状の取付ベルト13を夫々上側開口部分４Ａに向かって突設し、この各取付ベルト13の突出先端に細長い環状を呈するリングを連結して、この各リングをベルト通し部Ａ，Ｂ，Ｃ，Ｄとしている。
【００４２】
また、本実施例では、この各ベルト通し部Ａ，Ｂ，Ｃ，Ｄを構成する各リングが前記靴本体１の前側開口部４（上側開口部分４Ａ）の開口周縁部より内側に配置してこの各ベルト通し部Ａ，Ｂ，Ｃ，Ｄが前記タン部材５の前側に位置するように、前記各取付ベルト13の突出度（長さ寸法）を設定構成している。
【００４３】
そして、図２に示すように、この上側一方（図面においては上側右方）のベルト通し部Ａに緊締ベルト７の一端を通した後折り返し重合し、この重合部を互いに止着（例えば、ビス留め）することで、この緊締ベルト７の一端を上側一方のベルト通し部Ａに固定し、この緊締ベルト７の他端を前記タン部材５の前側に配し斜め下方に位置する下側他方のベルト通し部Ｂに通してから、水平に折り返して下側一方のベルト通し部Ｃに通し、続いて斜め上方へ折り返して、前記タン部材５の前側で上側一方のベルト通し部Ａと下側他方のベルト通し部Ｂの間に配した緊締ベルト７の途中部とクロスさせてから上側他方のベルト通し部Ｄに通して、図３中の矢印のようにこの緊締ベルト７の他端を引動することで前記タン部材５と共に前記上部ホールド部９を緊締し得るように構成している。
【００４４】
また、この際、緊締ベルト７は、下部他方のベルト通し部Ｂ，下部一方のベルト通し部Ｃ，上部他方のベルト通し部Ｄのわずか三箇所に対して移動する構成であるため、各ベルト通し部Ｂ，Ｃ，Ｄに対する緊締ベルト７の移動摩擦抵抗は比較的小さく、しかも、この下部他方のベルト通し部Ｂ，下部一方のベルト通し部Ｃ，上部他方のベルト通し部Ｄは、上側開口部分４Ａの開口周縁部より内側に配置しているため、緊締ベルト７と上部ホールド部９とには実質的に摩擦抵抗を生じず、よって、この緊締ベルト７の他端の引動操作は、強い抵抗を生じることなく簡単に引動操作することができる構成としている。出願人の試作実験によると、女性の力でも簡単に緊締ベルト７他端を引動して緊締可能であることが確認されている。
【００４５】
また、この引動した緊締ベルト７の他端を着脱自在に結合して緊締ロック状態とする結合具８をこの緊締ベルト７の一端に設けている。
【００４６】
結合具８は、ベルトを通して折り返しすることで結束できる既存のベルト留め具を採用し、このベルト留め具８を緊締ベルト７の一端の重合部を利用して連結している。従って、このような既存のベルト留め具８を採用したことで、結合具８を簡易に設計実現可能であると共に、緊締ベルト７の着脱操作も容易に行われる構成としている。
【００４７】
また、本実施例では、前記緊締ベルト７の一端の重合部を上側開口部分４Ａに向けて突出配設すると共に、この重合部の重合寸法（上側一方のベルト通し部Ａからの突出度）を、この重合部に連結した前記結合具８たるベルト留め具８が前記上側開口部分４Ａの略中央に位置するように設定構成している（図５参照。）。
【００４８】
従って、緊締ベルト７の他端を引動緊締操作した際に、この緊締ベルト７の一端が上側一方のベルト通し部Ａに固定されているために、この緊締ベルト７の一端に設けた結合具８の位置が緊締ベルト７他端の結合に不都合な位置に移動してしまうようなことがなく、確実に前側開口部４（上側開口部分４Ａ）の略中央位置で緊締ベルト７の一端と他端の結合操作を行うことができる構成としている。
【００４９】
また、この際、図示したように、下側一方のベルト通し部Ｃから斜め上方へ折り返した緊締ベルト７の他端を、上側一方のベルト通し部Ａと下側他方のベルト通し部Ｂの間に配した緊締ベルト７の途中部の下側へクロスさせて上側他方のベルト通し部Ｄに通すようにすると、このクロス部分で緊締ベルト７他端がタン部材５に押さえ付けられて挟み込まれた状態となって、引動（緊締調整）後に緊締ベルト７他端が戻る（緩む）ことが阻止されることになり、これによりベルト緩みを気にすることなく結合具８による結合操作を行うことができることになるので、好ましい。
【００５０】
そして、この結合具８で緊締ベルト７の一端と他端を結合すると、この緊締状態がロックされて靴本体１の上側開口部分４Ａに緊締ベルト７が略８の字形に配されることになり、この略８の字形の緊締ベルト７が存する靴本体１の上側開口部分４Ａの所定範囲がタン部材５と共に極めて良好に緊締されて上部ホールド部９の足（足首より上方部分）への良好なフィット感が得られることになる構成としている。
【００５１】
また、本実施例の緊締ベルト７は、軟質性（例えばナイロン製）を有し、幅23〜25ｍｍ程度のものを採用している。この程度の幅の緊締ベルト７を採用すると、引動（緊締）操作が容易で、且つ略８の字形に配されるこの緊締ベルト７によって上部ホールド部９の十分な緊締作用が得られることが出願人により確認されている。
【００５２】
また、本実施例では、前記緊張ベルト７の一端を固定した上側一方のベルト通し部Ａと、緊締ベルト７の他端を通した上側他方のベルト通し部Ｄとを、前記靴本体１（上部ホールド部９）に対し上下方向に移動可能に設けている。
【００５３】
具体的には、この上側一方のベルト通し部Ａと上側他方のベルト通し部Ｄとが設けられる上側左右部の前記各取付ベルト13の基端を、上部ホールド部の左右部起伏回動自在に枢着した構成とし、この取付ベルト13の起伏動に伴って上側一方のベルト通し部Ａと上側他方のベルト通し部Ｄとが上下移動（起伏動）する構成としている。
【００５４】
従って、これにより特に緊締ベルト７の他端を引動して緊締操作を行う際には、緊締ベルト７他端を斜め上方へ向かって引動するが、この際、図４に示すように上側他方のベルト通し部Ｄも連動して上方へ起動することで緊締ベルト７がねじれたりすることが防止されて引動操作し易い構成としている。また、この際、緊締ベルト７の一端が固定されている上側一方のベルト通し部Ａも適度に動いて引動し易さが向上する構成である。
【００５５】
また、本実施例では、上側他方のベルト通し部Ｄが設けられる取付ベルト13の途中部に、前記結合具８に折り返し結合した緊締ベルト７の他端の長く余った部分を格納するためのベルト格納用リング14を設け、図１に示すようにこのベルト格納用リング14に余った緊締ベルト７の他端を通すことにより、この他端を上部ホールド部９に沿設状態にできて、この他端が邪魔になったり体裁を害することのないようにしている。
【００５６】
また、本実施例では、緊締ベルト７を緩めるためのベルト緩め具15を備えた構成としている。このベルト緩め具15は、例えば図６に示すように、下側他方のベルト通し部Ｂと下側一方のベルト通し部Ｃとの間に存する緊締ベルト７に装備しておき、前記結合具８による緊締状態を解除した後でこのベルト緩め具15を図中矢印方向へ引っ張れば、緊締ベルト７を簡単に緩めることができるようにしたものである。
【００５７】
尚、本発明は、本実施例に限られるものではなく、各構成要件の具体的構成は適宜設計し得るものである。
【００５８】
また、本実施例では、スノーボード用ブーツに適用した場合を示したが、例えば、足首部分より高さのある上部ホールド部９を備えた登山靴や、トレッキングシューズや、その他、上部ホールド部９のない靴にも適用可能である。
【００５９】
また、本実施例では、上部ホールド部９にのみ本発明の緊締手段６（第二緊締手段６）を設けた場合を示したが、甲部分３の第一緊締手段16として本発明の緊締手段６を設けても良いし、上部ホールド部９と甲部分３との双方に本発明の緊締手段６を設けても良い。
【００６０】
尚、甲部分３に緊締手段６を設ける場合、請求項１中の「上側」なる記載は、甲部分３の足首側を指し、請求項１中の「下側」なる記載は、甲部分３のつま先側を指す意味合いで用いている。また、上記第二緊締手段６の説明において、「上側開口部分４Ａ」を「下側開口部分４Ｂ」に置き換えることで、甲部分３に緊締手段６を設ける場合についてを説明できる。
【図面の簡単な説明】
【００６１】
【図１】本実施例の第一緊締手段と第二緊締手段とをロックした状態を示す説明斜視図である。
【図２】本実施例の第二緊締手段の緊締ベルト他端を結合具から取り外した状態を示す説明正面図である。
【図３】本実施例の第二緊締手段の緊締ベルト他端を引動して上部ホールド部を緊締した状態を示す説明正面図である。
【図４】図３の側面図である。
【図５】本実施例の第二緊締手段の緊締ベルト他端を引動して上部ホールド部を緊締し、緊締ベルト他端を緊締ベルト一端に設けた結合具に結束した状態（緊締ロック状態）を示す説明正面図である。
【図６】本実施例の第二緊締手段の緊締ベルトを緩める様子を示す部分説明正面図である。
【符号の説明】
【００６２】
１  靴本体
２  履き口部
３  甲部分
４  前側開口部
４Ａ  上側開口部分
４Ｂ  下側開口部分
５  タン部材
６  緊締手段
７  緊締ベルト
８  結合具
９  上部ホールド部
Ａ  （上側一方の）ベルト通し部
Ｂ  （下側他方の）ベルト通し部
Ｃ  （下側一方の）ベルト通し部
Ｄ  （上側他方の）ベルト通し部
【図１】
2009089902.tif 000003
【図２】
2009089902.tif 000004
【図３】
2009089902.tif 000005
【図４】
2009089902.tif 000006
【図５】
2009089902.tif 000007
【図６】
2009089902.tif 000008